(57)【要約】【課題】本発明は、スプレー状態からベンド状態へ速やかに転移することができる液晶表示装置の駆動方法及び装置に関する。【解決手段】本発明による液晶表示装置の駆動方法は、上板と下板の間に保持された液晶の配列に転移電圧以上の電圧を印加してスプレー状態からベンド状態に転移させるリセット期間と、その後に正常駆動する正常駆動期間を有する駆動方式で駆動される液晶表示装置において、前記リセット期間中にスプレー状態の液晶セルに前記正常駆動期間の駆動電圧より大きなリセット電圧を供給して前記液晶をベンド状態へ転移させる段階と、前記正常駆動期間中にベンド状態の液晶を駆動する段階を有する。【選択図】図６
2007226271.tif 000002
【特許請求の範囲】
【請求項１】
上板と下板の間に保持された液晶の配列に転移電圧以上の電圧を印加してスプレー状態からベンド状態に転移させるリセット期間と、その後に正常駆動する正常駆動期間を有する駆動方式で駆動され、前記リセット期間中にスプレー状態の液晶セルの画素電極と共通電極との間にリセット電圧を供給して前記液晶セルをベンド状態に転移させる段階と、前記正常駆動期間中にベンド状態の液晶を駆動する段階を有する液晶表示装置の駆動方法において、
前記リセット期間の間、前記共通電極にゲートハイ電圧（Ｖｇｈ）を供給する段階と、前記ゲートハイ電圧より低い低電位の共通電圧（Ｖｃｃ）を前記画素電極に供給する段階とを含むことを特徴とする液晶表示装置の駆動方法。
【請求項２】
前記リセット期間の間、前記共通電極には大略２０Ｖが供給され、前記画素電極には大略０〜３．３Ｖの電圧が供給されることを特徴とする請求項１記載の液晶表示装置の駆動方法。
【請求項３】
上板と下板の間に保持された液晶の配列に転移電圧以上の電圧を印加してスプレー状態からベンド状態に転移させるリセット期間と、その後に正常駆動する正常駆動期間を有する駆動方式で駆動される液晶表示装置において、
複数のデータラインとゲートラインとの交差部に薄膜トランジスタが形成されると共に、画素電極および共通電極が形成された液晶パネルと、前記リセット期間の間、前記共通電極にゲートハイ電圧（Ｖｇｈ）を供給し、前記ゲートハイ電圧より低い低電位の共通電圧（Ｖｃｃ）を供給する、少なくとも一つ以上のスイッチ素子と、前記画素電極と共通電極に選択的に電圧が供給されるように前記スイッチ素子を制御するコントローラとを備えることを特徴とする液晶表示装置の駆動装置。
【請求項４】
前記リセット期間の間、前記共通電極には大略２０Ｖが供給され、前記画素電極には大略０〜３．３Ｖの電圧が供給されることを特徴とする請求項３記載の液晶表示装置の駆動装置
【発明の詳細な説明】
【技術分野】
【０００１】
本発明は液晶表示装置に関するもので、特に液晶がスプレー状態からベンド状態に速やかに転移する液晶表示装置の駆動方法及び装置に関するものである。
【背景技術】
【０００２】
液晶表示装置はビデオ信号により液晶セルの光透過率を調節して画像を表示する。液晶表示装置の中の液晶セル別にスイッチング素子が設けられたアクティブマトリックスタイプは動映像を表示するのに好適である。アクティブマトリックスタイプの液晶表示装置でスイッチング素子としては主に薄膜トランジスタ（Thin Film Transistor：以下、″ＴＦＴ″という）が利用されている。このような液晶表示装置はブラウン管に比べて小型化が可能なために、パーソナル・コンピュータやノートブック・コンピュータは勿論、コピー機等の事務自動化機器、携帯電話機やＰＤＡ等の携帯機器まで広範囲に利用されている。
【０００３】
従来の液晶表示装置は、構成を模式的に示した図１に図示したように、デジタル・ビデオ・データに変換するためのデジタル・ビデオ・カード（３０）と、駆動電圧を供給するための電源供給部（４２）と、液晶パネル（４０）のデータライン（ＤＬ）にビデオ・データを供給するためのデータ・ドライバ（３６）と、液晶パネル（４０）のゲートライン（ＧＬ）を順次駆動するためのゲート・ドライバ（３４）と、データ・ドライバ（３６）とゲート・ドライバ（３４）を制御するためのコントローラ（３２）と、データ・ドライバ（３６）にガンマ電圧を供給するためのガンマ電圧発生部（３８）とを具備する。
【０００４】
液晶パネル（４０）は二枚のガラス基板の間に液晶が注入されて、その下部ガラス基板の上にゲートライン（ＧＬ）とデータライン（ＤＬ）が相互に直交するように形成されている。ゲートライン（ＧＬ）とデータライン（ＤＬ）の交差部にはデータライン（ＤＬ）から入力される映像を液晶セル（Ｃｌｃ）に選択的に供給するためのＴＦＴが形成される。ＴＦＴはゲートライン（ＧＬ）にドレーン端子が接続されて、データライン（ＤＬ）にソース端子が接続される。そしてＴＦＴのドレーン端子は液晶セル（Ｃｌｃ）の画素電極に接続される。
【０００５】
デジタル・ビデオ・カード（３０）はアナログ入力映像信号を液晶パネル（４０）に適合するデジタル映像信号に変換して映像信号に含まれる同期信号を検出する。
【０００６】
コントローラ（３２）はデジタル・ビデオ・カード（３０）から供給される０〜３．３Ｖの駆動電圧の供給を受ける。コントローラ（３２）は赤色（Ｒ）、緑色（Ｇ）及び青色（Ｂ）のデジタル・ビデオ・データをデータ・ドライバ（３６）に供給する。また、コントローラ（３２）はデジタル・ビデオ・カード（３０）から入力される水平／垂直の同期信号（Ｈ、Ｖ）を利用してドットクロック（Ｄｃｌｋ）とゲート・スタート・パルス（ＧＳＰ）を生成してデータ・ドライバ（３６）とゲート・ドライバ（３４）のタイミングを制御する。ここで、ドットクロック（Ｄｃｌｋ）はデータ・ドライバ（３６）に供給されて、ゲート・スタート・パルス（ＧＳＰ）はゲート・ドライバ（３４）に供給される。
【０００７】
電源供給部（４２）はデジタル・ビデオ・カード（３０）から供給される０〜３．３Ｖの低電位の共通電圧（Ｖｃｃ）の供給を受けて液晶セルを駆動するための高電位の共通電圧（Ｖｄｄ）とゲート・ドライバ（３４）を駆動するための駆動電圧を生成する。電源供給部（４２）は供給される０〜３．３Ｖの低電位の共通電圧（Ｖｃｃ）を１５Ｖの高電位の共通電圧（Ｖｄｄ）に変換してデータ・ドライバ（３６）に供給する。これと共に、高電位の共通電圧（Ｖｄｄ）は分圧抵抗により７Ｖの共通電圧（Ｖｃｏｍ）に分圧されて分圧された共通電圧（Ｖｃｏｍ）は液晶パネルのパッド部に設置されたＡｇドットを経由して液晶パネルの上部基板に形成された共通電極に供給される。電源供給部（４２）はゲート・スキャニング・クラック（ＧＳＣ）発生の際にスキャニング信号のゲート・ハイ電圧（Ｖｇｈ）及びゲート・ロー電圧（Ｖｇｌ）を生成する。即ち、電源供給部（４２）は供給される０〜３．３Ｖの低電位の共通電圧（Ｖｃｃ）を２０Ｖのゲート・ハイ電圧（Ｖｇｈ）と、−５Ｖのゲート・ロー電圧（Ｖｇｌ）に変換してゲート・ドライバ（３４）に供給する。
【０００８】
ゲート・ドライバ（３４）はコントローラ（３２）から入力されるゲート・スタート・パルス（ＧＳＰ）に応答して順次スキャンパルスを発生するシフト・レジスタと、スキャンパルスの電圧を液晶セルの駆動に好適なレベルにシフトさせるためのレベルシフトによって構成される。ゲート・ドライバ（３４）はゲート・ハイ電圧（Ｖｇｈ）とゲート・ロー電圧（Ｖｇｌ）を液晶パネル（４０）に供給してゲートライン（ＧＬ）の中のいずれか一つのラインに供給する。このゲート・ハイ電圧（Ｖｇｈ）を有するスキャンパルスはスイッチをターン・オンさせてＴＦＴがターン・オンされる期間に液晶セルにはデータ・ドライバ（３６）から供給されるビデオ・データを充電する。
【０００９】
データ・ドライバ（３６）にはコントローラ（３２）から赤色（Ｒ）、緑色（Ｇ）及び青色（Ｂ）のデジタル・ビデオ・データと共にドットクロック（Ｄｃｌｋ）が入力される。このデータ・ドライバ（３６）はドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖ）により補正する。そしてデータ・ドライバ（３６）はガンマ電圧（Ｖ）により補正されたデータをアナログデータに変換して１ライン分ずつデータライン（ＤＬ）に供給する。
【００１０】
液晶表示装置に利用される液晶は一般的に、ツイスティード  ネマチック（Twisted  Nematic：以下“ＴＮ”という）モードが主に利用されている。ＴＮモードは液晶配列のツイストされた角が９０°であり、電界の印加により液晶が配列状態を変えて図示されないバックライト・ユニットからの光を透過させてグレイスケールを表現する。しかし、ＴＮモードは視野角が狭く、液晶の応答速度が遅いという問題を有している。
【００１１】
ＴＮモードの短所を補なうためにＩＰＳ（in-plane switch）モード、ＯＣＢ（Optically Compensated Bend）モードの液晶に対する研究が活発に進められている。この中でＯＣＢモードはＴＮモードに比べて構造的に広い視野角と速い応答速度を有する。
【００１２】
図２及び図３を参照すると、ＯＣＢモードの液晶パネルは図示されないカラー・フィルター・アレー及び配向膜が順次形成された上部基板（１０）と、図示されないＴＦＴアレー及び配向膜が形成された下部基板（１２）と、上部基板（１０）と下部基板（１２）は図示されないスペースにより所定のギャップを有してその所定の空間に保持された液晶（１８）と、上／下部基板（１０、１２）の外に配置された上／下部の偏光板（１４、２２）と、上部基板（１０）と上部偏光板（１４）の間に配置された上部補償フィルム（１６）と、下部基板（１２）と下部偏光板（２２）の間に配置されて入射される光の位相と視野角を補償する補償フィルム（２０）で構成される。
【００１３】
上部基板（１０）と下部基板（１２）の配向膜は同一方向に配向処理される。上部基板（１０）と下部基板（１２）の間の液晶は配向膜の配向処理方向により特定電圧（Ｖｔｈ）以下で初期配向状態であるスプレー（splay）状態を維持する。即ち、液晶分子は上／下部の配向膜の表面でそれぞれθと-θ°のチルト角（tilt angle）に配列されて液晶セルの中心に近づくにつれてチルト角が減少して液晶セルの中心で液晶分子のチルト角が０°になる。このようなスプレー状態に配列された液晶分子の光学特性は次のようである。図４に図示したように、スプレー状態に配列された液晶分子は特定電圧（Ｖｔｈ）以下で増加する電圧（Ｖ）を受けると不規則に光を透過させる。したがってスプレー状態を有する液晶からは、短時間の間に画像に染み又はちらつきが表れる。
【００１４】
このような状態を有する液晶分子は特定電圧（Ｖｔｈ）以上の電圧でベンド状態に転移する。スプレー状態の液晶分子がベンド状態に転移するのに要する時間を転移時間という。スプレー状態の液晶分子がベンド状態に転移するためには図５に図示したように、少なくとも３Ｖ程度のスイッチング電圧（Ｖｔｈ）が必要となる。ベンド状態の液晶分子は上／下部の配向膜の表面でチルト角が初期プリチルト角（pretilt angle）である±θ（この時、θは普通５〜１５°程度である）になり、液晶セルの中心に近づくにしたがってチルト角が増加して液晶セルの中心で９０°となる。このようなベンド状態の液晶分子は上下直交偏光子の間で電圧の増加により光透過率が線形的に減少する特性を表す。即ち、ベンド状態の液晶分子はグレイスケールを具現するのに好適であり、その特徴を利用して画像の表示に利用される。
【００１５】
このように、ＯＣＢモードで液晶は、段差転移電圧（Ｖｔｈ）以上の電圧が印加されるとスプレー状態からベンド状態に転移して安定になる。段差転移電圧（Ｖｔｈ）程度の電圧を印加する場合、液晶がスプレー状態からベンド状態に転移するのに数十秒から数百秒程度の長い時間が必要となる。このように液晶が転移するのに長い時間がかかるとスプレー状態の特性により画像に染み点が表れる。または画像にちらつきが表れる時間が長くなる。従って、スプレー状態の液晶をベンド状態に速やかに転移させることが必要である。
【発明の開示】
【発明が解決しようとする課題】
【００１６】
本発明の目的は液晶がスプレー状態からベンド状態に速やかに転移することができる液晶表示装置の駆動方法及び装置を提供することにある。
【課題を解決するための手段】
【００１７】
本発明による液晶表示装置の駆動方法は、上板と下板の間に保持された液晶の配列に転移電圧以上の電圧を印加してスプレー状態からベンド状態に転移させるリセット期間と、その後に正常駆動する正常駆動期間を有する駆動方式で駆動される液晶表示装置において、前記リセット期間中にスプレー状態の液晶セルに前記正常駆動期間の駆動電圧より大きなリセット電圧を供給して前記液晶をベンド状態へ転移させる段階と、前記正常駆動期間中にベンド状態の液晶を駆動する段階を有することを特徴とする。
【００１８】
本発明の１つの実施態様によれば、前記リセット電圧を供給する段階は前記液晶セルの共通電極にゲートハイ電圧（Ｖｇｈ）と正常駆動の際の画素共通電圧（Ｖｃｏｍ）の中のいずれか一つを供給する段階と、前記画素共通電圧（Ｖｃｏｍ）より低い低電位の共通電圧（Ｖｃｃ）を前記液晶セルの画素電極に供給する段階とを更に具備することを特徴とする。
【００１９】
本発明の他の実施態様によれば、前記リセット電圧を供給する段階は前記液晶セルの共通電極にゲートハイ電圧（Ｖｇｈ）を供給する段階と、前記液晶セルの画素電極に高電位の共通電圧（Ｖｄｄ）を供給する段階とを更に具備することを特徴とする。
【００２０】
本発明のさらに他の実施態様によれば、前記リセット期間に前記液晶セルの画素電極に前記正常駆動期間での最大の駆動電圧を供給することを特徴とする。
【００２１】
本発明による液晶表示装置の駆動装置は、上板と下板の間に保持された液晶の配列が転移電圧以上の電圧を印加してスプレー状態からベンド状態に転移させるリセット期間と、その後に正常駆動する正常駆動期間を有する駆動方式で駆動される液晶表示装置において、
複数のデータラインとゲートラインの交差部に薄膜トランジスタが形成されると共に画素電極及び共通電極が形成された液晶パネルと、
前記リセット期間に供給される、前記正常駆動期間の駆動電圧より大きく、前記画素電極と前記共通電極では相互に異なるリセット電圧を供給する少なくとも一つ以上のスイッチ素子と、
前記画素電極と共通電極に選択的に電圧が供給されるように前記スイッチ素子を制御するコントローラと、を具備することを特徴とすることを特徴とする。
【００２２】
本発明の１つの実施態様によれば、前記共通電極にゲートハイ電圧（Ｖｇｈ）と正常駆動の際の画素共通電圧（Ｖｃｏｍ）の中のいずれか一つを供給し、前記画素電極に画素共通電圧（Ｖｃｏｍ）より低い低電位の共通電圧（Ｖｃｃ）を供給することを特徴とする。
【００２３】
本発明の他の実施態様によれば、前記共通電極にゲートハイ電圧（Ｖｇｈ）を供給し、前記画素電極に高電位共通電圧（Ｖｄｄ）を供給することを特徴とする。
【００２４】
本発明のさらに別の実施例によれば、前記リセット期間に前記液晶セルの画素電極に前記正常駆動期間での最大の駆動電圧を供給することを特徴とする。
【発明の効果】
【００２５】
本発明による液晶表示装置の駆動方法及び当該方法を用いた液晶表示装置はＯＣＢ液晶が適用される液晶表示装置において、リセット期間に液晶セルに供給される電圧を正常駆動電圧より大きくする。その結果、本発明による液晶表示装置及び駆動方法及び装置は液晶がスプレー状態からベンド状態へ速やかに転移することができ、転移時間を短縮することができる。
【発明を実施するための最良の形態】
【００２６】
前記目的以外の本発明の目的及び利点は添付した図面を参照した本発明の実施の形態に関する説明を通して明らかにする。
以下、図６乃至図１２を参照して本発明の実施の形態について説明する。  
【００２７】
図６及び図７に示したように、本発明の第１実施例による液晶表示装置は、リセット期間に共通電極と画素電極に供給される電圧差を大きくして液晶分子をスプレー状態からベンド状態に速やかに転移させる。このために、ＯＣＢモードの液晶セルはリセット回路を具備する。リセット回路はデジタル・ビデオ・カード（６０）と、駆動電圧を供給するための電源供給部（６４）と、図示されない液晶パネルのデータライン（ＤＬ）にビデオ・データを供給するためのデータ・ドライバ（６６）と、液晶パネルのゲートライン（ＧＬ）を順次駆動するためのゲート・ドライバ（６８）と、データ・ドライバ（６６）とゲート・ドライバ（６８）を制御するためのコントローラ（６２）と、データ・ドライバ（６６）にガンマ電圧を供給するためのガンマ電圧発生部（７０）と、共通電極に供給される共通電圧（Ｖｃｏｍ）の電圧を選択するための第１スイッチ（Ｓ１）と、画素電極に供給される電圧を選択するための第２スイッチ（Ｓ２）とを具備する。
【００２８】
液晶パネルは二枚のガラス基板の間に液晶が注入されて、その下部基板の上にゲートライン（ＧＬ）とデータライン（ＤＬ）が相互直交になるように形成される。ゲートライン（ＧＬ）とデータライン（ＤＬ）の交差部にはデータライン（ＤＬ）から入力される映像を液晶セル（Ｃｌｃ）に選択的に供給するためのＴＦＴが形成される。このために、ＴＦＴはゲートライン（ＧＬ）にドレーン端子が接続されて、データライン（ＤＬ）にソース端子が接続される。そしてＴＦＴのドレーン端子は液晶セル（Ｃｌｃ）の画素電極に接続される。
【００２９】
デジタル・ビデオ・カード（６０）はアナログ入力映像信号を液晶パネル（４０）に適合するデジタル映像信号に変換して映像信号に含まれる同期信号を検出する。
【００３０】
コントローラ（６２）はデジタル・ビデオ・カード（６０）から供給される０〜３．３Ｖの駆動電圧の供給を受ける。コントローラ（６２）は赤色（Ｒ）、緑色（Ｇ）及び青色（Ｂ）のデジタル・ビデオ・データをデータ・ドライバ（６６）に供給する。また、コントローラ（６２）はデジタル・ビデオ・カード（６０）から入力される水平／垂直の同期信号（Ｈ、Ｖ）を利用してドットクロック（Ｄｃｌｋ）とゲート・スタート・パルス（ＧＳＰ）を生成してデータ・ドライバ（６６）とゲート・ドライバ（６８）のタイミングを制御する。ここで、ドットクロック（Ｄｃｌｋ）はデータ・ドライバ（６６）に供給されて、ゲート・スタート・パルス（ＧＳＰ）はゲート・ドライバ（６８）に供給される。
【００３１】
電源供給部（６４）はデジタル・ビデオ・カード（６０）から供給される低電位の共通電圧（Ｖｃｃ）の供給を受けて液晶セルとゲート・ドライバ（６８）を駆動するための駆動電圧を生成する。電源供給部（６４）はコントローラ（６２）から制御される第１及び第２スイッチ（Ｓ１、Ｓ２）の選択により０〜３．３Ｖの低電位の共通電圧（Ｖｃｃ）を１５Ｖ高電位の共通電圧（Ｖｄｄ）に変換してガンマ電圧発生部（７０）に供給するか、０〜３．３Ｖの低電位の共通電圧（Ｖｃｃ）をガンマ発生部（７０）に供給する。
【００３２】
ガンマ電圧発生部（７０）はパネルの電気的、光学的特性を考慮してデータのグレイスケール値に対応してガンマ電圧（Ｖ）を生成してデータ・ドライバ（６６）に供給する。
【００３３】
データ・ドライバ（６６）にはコントローラ（６２）から赤色（Ｒ）、緑色（Ｇ）及び青色（Ｂ）のデジタル・ビデオ・データと共にドットクロック（Ｄｃｌｋ）が入力される。このデータ・ドライバ（６６）はドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖ）により補正する。そしてデータ・ドライバ（６６）はガンマ電圧（Ｖ）により補正されたデータをアナログデータに変換して１ライン分ずつデータライン（ＤＬ）に供給する。
【００３４】
電源供給部（６４）はゲート・スキャニング・クラック（ＧＳＣ）の発生の際にスキャニング信号のゲート・ハイ電圧（Ｖｇｈ）及びゲート・ロー電圧（Ｖｇｌ）を生成する。即ち、電源供給部（６４）は供給される０〜３．３Ｖの低電位の共通電圧（Ｖｃｃ）を２０Ｖのゲート・ハイ電圧（Ｖｇｈ）と−５Ｖのゲート・ロー電圧（Ｖｇｌ）に変換してゲート・ドライバ（６８）に供給する。
【００３５】
ゲート・ドライバ（６８）はコントローラ（６２）から入力されるゲート・スタート・パルス（ＧＳＰ）に応答して順次スキャンパルスを発生するシフト・レジスタと、スキャンパルスの電圧を液晶セルの駆動に好適なレベルにシフトさせるためのレベルシフトに構成される。ゲート・ドライバ（６８）はゲート・ハイ電圧（Ｖｇｈ）とゲート・ロー電圧（Ｖｇｌ）を液晶パネル（４０）に供給してゲートライン（ＧＬ）の中のいずれか一つのラインに供給する。このゲート・ハイ電圧（Ｖｇｈ）を有するスキャンパルスはスイッチをターン・オンさせてＴＦＴがターン・オンされる期間に液晶セルにはデータ・ドライバ（６６）から供給されるビデオ・データを充電する。
【００３６】
第１スイッチ（Ｓ１）はコントローラ（６２）からの制御信号により高電位共通電圧（Ｖｄｄ）で分圧された画素共通電圧（Ｖｃｏｍ）とゲート・ハイ電圧（Ｖｇｈ）の中の何れか一つの電圧と連結される。第１スイッチ（Ｓ１）が画素共通電圧を選択する場合に共通電極に０〜７Ｖの画素共通電圧（Ｖｃｏｍ）が供給されて、第１スイッチ（Ｓ１）がゲート・ハイ電圧（Ｖｇｈ）を選択する場合に共通電極に２０Ｖのゲート・ハイ電圧（Ｖｇｈ）が供給される。
【００３７】
第２スイッチ（Ｓ２）はコントローラ（６２）からの制御信号によりデジタル・ビデオ・カード（６０）から供給される低電位共通電圧（Ｖｃｃ）と高電位共通電圧（Ｖｄｄ）の中のいずれか一つの電圧と連結される。
【００３８】
第２スイッチ（Ｓ２）が低電位共通電圧（Ｖｃｃ）と連結された場合に低電位共通電圧（Ｖｃｃ）がガンマ電圧発生部（７０）を通じてデータ・ドライバ（６６）に供給されて０〜３．３Ｖのデータ電圧が画素電極に供給される。反面に、高電位共通電圧（Ｖｄｄ）と連結された場合には高電位共通電圧（Ｖｄｄ）ガンマ電圧発生部（７０）を通じてデータ・ドライバ（６６）に供給されて０〜１５Ｖのデータ電圧が画素電極に供給される。
【００３９】
ＯＣＢモードの液晶セルの液晶は、画素電圧と共通電圧の差が大きいほどスプレー状態からベンド状態へ転移する転移時間が短縮される。液晶セルにかかる電圧差に対する転移時間の関係を表す実験結果を次の表１に示す。
【表１】
2007226271.tif 000003
表１を図８の関係をみると、液晶セルにかかる電圧差が大きいほど液晶がスプレー状態からベンド状態へ転移するのに要する時間が短縮されることが分かる。つまり、液晶をスプレー状態からベンド状態へ速く転移させるためにリセット期間に液晶セルの画素電極にかかる電圧と共通電極にかかる電圧を大きくすることが有効である。
【００４０】
このために、リセット期間にコントローラ（６２）から供給される制御信号に応答して第１スイッチ（Ｓ１）はゲート・ハイ電圧（Ｖｇｈ）と連結されて共通電極にゲート・ハイ電圧（Ｖｇｈ）が供給されて、第２スイッチ（Ｓ２）は低電位共通電圧（Ｖｃｃ）と連結されて低電位共通電圧（Ｖｃｃ）がガンマ電圧発生部とデータ・ドライバ（６６）を通じて画素電極に供給される。これにより、共通電極に２０Ｖの基準電圧が供給されると共に画素電極に０〜３．３Ｖの変化幅を有する実際の画像データが供給される。簡単に説明するために、平均電圧を１．７Ｖと仮定すると、液晶セルには約１８Ｖの電圧差が生じる。この場合、図８に図示されたように液晶分子は約０．１秒未満の時間でスプレー状態からベンド状態に転移する。
【００４１】
リセット期間の後、コントローラ（６２）の制御信号により正常駆動区間ではベンド状態へ転移した液晶分子の正常駆動のために共通電極に約７Ｖの画素共通電圧（Ｖｃｏｍ）が供給されて、画素電極には実際の画像データが供給される。
【００４２】
前記のように、リセット期間で液晶セルの画素電極と共通電極に供給される電圧は正常駆動区間での電圧よりずっと大きくなる。従って、短い時間の間に液晶がスプレー状態からベンド状態に転移することができる。
【００４３】
このようにＯＣＢモード液晶の転移時間を短縮するためにリセット期間でのリセット回路を次のように構成することもできる。
【００４４】
先に、図９に図示されたようにリセット期間に第１スイッチ（Ｓ１）はゲート・ハイ電圧（Ｖｇｈ）と連結されて、第２スイッチ（Ｓ２）は高電位共通電圧（Ｖｄｄ）と連結される。
【００４５】
コントローラ（６２）から供給される制御信号に応答して第１スイッチ（Ｓ１）はゲート・ハイ電圧（Ｖｇｈ）と連結されて、共通電極にゲート・ハイ電圧（Ｖｇｈ）が供給される。第２スイッチ（Ｓ２）は高電位共通電圧（Ｖｄｄ）と連結されて画素電極に高電位共通電圧（Ｖｄｄ）がガンマ電圧発生部（７０）とデータ・ドライバ（６６）を通じて供給される。これにより、図１０のように共通電極に２０Ｖの電圧が供給されると共に画素電極に０〜１５Ｖの変化幅を有する実際の画像データが供給される。簡単に説明するための平均電圧を７Ｖとみると、液晶セルには大略１３Ｖの電圧差が生じる。この場合、図８に図示されたように液晶分子は約０．５秒未満の時間の間にスプレー状態からベンド状態に転移する。
【００４６】
リセット期間の後、コントローラ（６２）の制御信号により正常駆動区間ではベンド状態へ転移した液晶分子の正常駆動のために、共通電極には７Ｖの画素共通電圧（Ｖｃｏｍ）が供給されて、画素電極には実際の画像データが供給される。
【００４７】
前記のようにリセット期間で液晶セルの画素電極と共通電極に供給される電圧は正常駆動区間での電圧よりずっと大きくなる。従って、短い時間の間に液晶がスプレー状態からベンド状態に転移することができる。
【００４８】
また、図１１に図示されたようにリセット期間に第１スイッチ（Ｓ１）を画素共通電圧（Ｖｃｏｍ）と連結して、第２スイッチ（Ｓ２）を低電位共通電圧（Ｖｃｃ）と連結する。
【００４９】
コントローラ（６２）から供給される制御信号に応答して第１スイッチ（Ｓ１）は高電位共通電圧（Ｖｄｄ）から分圧された画素共通電圧（Ｖｃｏｍ）と連結されて、共通電極に画素共通電圧（Ｖｃｏｍ）が供給される。第２スイッチ（Ｓ２）は低電位共通電圧（Ｖｃｃ）と連結されて、画素電極に低電位共通電圧（Ｖｃｃ）が供給される。これにより、図１２に図示したように、共通電極には７Ｖの電圧が供給されると共に画素電極に０〜３．３Ｖの変化幅を有する実際の画像データが供給される。説明を簡単にするために、平均電圧を１．７Ｖと仮定すると、液晶セルには約５〜６Ｖの電圧差が生じる。この場合、図８に図示されたように液晶分子は約１２〜４４秒未満の時間の間にスプレー状態からベンド状態に転移する。
【００５０】
リセット期間の以後、コントローラ（６２）の制御信号により正常駆動区間ではベンド状態へ転移された液晶分子の正常駆動のために共通電極には７Ｖの画素共通電圧（Ｖｃｏｍ）を供給して、画素電極には実際の画像データが供給される。
【００５１】
リセット期間で液晶セルの画素電極と共通電極に供給される電圧は転移電圧より大きくなる。従って、短い時間の間に液晶がスプレー状態からベンド状態に転移することができる。
【００５２】
図１３に示すように、本発明の第２実施例による液晶表示装置は、リセット期間に画素電極に実際の駆動期間に供給される最大の駆動電圧を供給して液晶分子がスプレー状態からベンド状態に速やかに転移させる。このために、ＯＣＢモードの液晶セルはリセット回路を具備する。
【００５３】
リセット回路はデジタル・ビデオ・データに変換するためのデジタル・ビデオ・カード（６０）と、駆動電圧を供給するための電源供給部（６４）と、図示されない液晶パネルのデータライン（ＤＬ）にビデオ・データを供給するためのデータ・ドライバ（６６）と、液晶パネルのゲートライン（ＧＬ）を順次駆動するためのゲート・ドライバ（６８）と、データ・ドライバ（６６）とゲート・ドライバ（６８）を制御するためのコントローラ（６２）と、データ・ドライバ（６６）にガンマ電圧を供給するためのガンマ電圧発生部（７０）とを具備する。
【００５４】
液晶パネルは二枚のガラス基板の間に液晶が保持されて、その下部基板上にゲートライン（ＧＬ）とデータライン（ＤＬ）が相互直交になるように形成されている。
【００５５】
デジタル・ビデオ・カード（６０）はアナログ入力映像信号を液晶パネル（４０）に好適のデジタル映像信号に変換して映像信号に含まれた同期信号を検出する。
【００５６】
コントローラ（６２）はデジタル・ビデオ・カード（６０）から供給される０〜３．３Ｖの駆動電圧の供給を受ける。コントローラ（６２）は赤色（Ｒ）、緑色（Ｇ）及び青色（Ｂ）のデジタル・ビデオ・データをデータ・ドライバ（６６）に供給する。また、コントローラ（６２）はデジタル・ビデオ・カード（６０）から入力される水平／垂直の同期信号（Ｈ、Ｖ）を利用してドットクロック（Ｄｃｌｋ）とゲート・スタート・パルス（ＧＳＰ）を生成してデータ・ドライバ（６６）とゲート・ドライバ（６８）のタイミングを制御する。ここで、ドットクロック（Ｄｃｌｋ）はデータ・ドライバ（６６）に供給されて、ゲート・スタート・パルス（ＧＳＰ）はゲート・ドライバ（６８）に供給される。
【００５７】
電源供給部（６４）はデジタル・ビデオ・カード（６０）から供給される０〜３．３Ｖの低電位の共通電圧（Ｖｃｃ）の供給を受けて液晶セルを駆動するための高電位共通電圧（Ｖｄｄ）とゲート・ドライバ（６８）を駆動するための駆動電圧を生成する役割をする。電源供給部（６４）は供給される０〜３．３Ｖの低電位の共通電圧（Ｖｃｃ）を１５Ｖの高電位共通電圧（Ｖｄｄ）に変換してデータ・ドライバ（６６）に供給する。これと共に、高電位の共通電圧（Ｖｄｄ）は分圧抵抗により７Ｖの共通電圧（Ｖｃｏｍ）に分圧されて分圧された共通電圧（Ｖｃｏｍ）は液晶パネルのパッド部に設置されたＡｇドットを経由して液晶パネルの上部基板に形成された共通電極に供給される。電源供給部（６４）はゲート・スキャニング・クラック（ＧＳＣ）の発生の際にスキャニング信号のゲート・ハイ電圧（Ｖｇｈ）及びゲート・ロー電圧（Ｖｇｌ）を生成する。即ち、電源供給部（６４）は供給される０〜３．３Ｖの低電位の共通電圧（Ｖｃｃ）を２０Ｖのゲート・ハイ電圧（Ｖｇｈ）と−５Ｖのゲート・ロー電圧（Ｖｇｌ）に変換してゲート・ドライバ（６８）に供給する。
【００５８】
ゲート・ドライバ（６８）はコントローラ（６２）から入力されるゲート・スタート・パルス（ＧＳＰ）に応答して順次スキャンパルスを発生するシフト・レジスタと、スキャンパルスの電圧を液晶セルの駆動に好適なレベルにシフトさせるためのレベルシフトによって構成される。ゲート・ドライバ（６８）はゲート・ハイ電圧（Ｖｇｈ）とゲート・ロー電圧（Ｖｇｌ）を液晶パネル（４０）に供給してゲートライン（ＧＬ）の中のいずれか一つのラインに供給する。このゲート・ハイ電圧（Ｖｇｈ）を有するスキャンパルスはスイッチをターン・オンさせてＴＦＴがターン・オンされている期間に、液晶セルにデータ・ドライバ（６６）から供給されるビデオ・データを充電する。
【００５９】
データ・ドライバ（６６）にはコントローラ（６２）から赤色（Ｒ）、緑色（Ｇ）及び青色（Ｂ）のデジタル・ビデオ・データと共にドットクロック（Ｄｃｌｋ）が入力される。このデータ・ドライバ（６６）はドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖ）により補正する。そしてデータ・ドライバ（６６）はガンマ電圧（Ｖ）により補正されたデータをアナログデータに変換して１ライン分ずつデータライン（ＤＬ）に供給する。
【００６０】
図１４に図示したように、リセット期間にコントローラ（６２）から供給された制御信号によりデータ・ドライバ（６６）に供給された最大の駆動電圧１５Ｖが画素電極に供給される。また、液晶セルの共通電極には７Ｖの基準電圧が設定される。コントローラ（６２）はリセット期間に画素電極に実際のデータ電圧が印加されないように遅延させる制御信号発生する。この制御信号により実際の画像に供給される駆動電圧は正常駆動期間だけに限定される。即ち、リセット期間以後、実際の正常駆動期間では、共通電極には７Ｖが供給され、画素電極には実際の駆動電圧が供給される。
【００６１】
このように、リセット期間に画素電極に最大の駆動電圧を供給することでリセット期間の液晶セルにかかる電圧は実際に駆動する際の液晶セルにかかる電圧差より大きく設定することができる。リセット期間に液晶セルの画素電極に供給される電圧は最大の駆動電圧である反面、実際の駆動の際に画素電極に供給される実際の駆動電圧は変化し、実際の駆動電圧の平均値はリセット期間に供給される最大の駆動電圧より小さい。このように、リセット期間に液晶セルに供給される電圧は正常駆動期間に供給される電圧より大きいので、液晶は短時間でスプレー状態からベンド状態に転移することができる。
【００６２】
上述のように、本発明による液晶表示装置の駆動方法及び当該方法を用いた液晶表示装置はＯＣＢ液晶が適用される液晶表示装置において、リセット期間に液晶セルに供給される電圧を正常駆動電圧より大きくする。その結果、本発明による液晶表示装置及び駆動方法及び装置は液晶がスプレー状態からベンド状態へ速やかに転移することができ、転移時間を短縮することができる。
【００６３】
以上説明した内容を通して当業者であれば、本発明の技術思想を逸脱しない範囲で多様な変更及び修正が可能なことを理解するはずである。従って、本発明の技術的な範囲は、明細書の詳細な説明に記載された内容に限定されず、特許請求の範囲によって定めなければならない。
【図面の簡単な説明】
【００６４】
【図１】図１は従来の液晶表示装置を表す図面である。
【図２】図２は図１に図示された液晶パネルを表す図面である。
【図３】図３は図２に図示された液晶セルに印加される電界によるＯＣＢモード液晶セルの液晶配列状態を表す図面である。
【図４】図４はＯＣＢモード液晶セルの電圧に対する透過率を表すグラフである。
【図５】図５はＯＣＢモード液晶セルの液晶がベンド状態にスイッチングされる電圧を表す図面である。
【図６】図６は本発明の第１実施例による液晶表示装置のリセット回路を表す図面である。
【図７】図７は図６に図示されたリセット回路による駆動電圧と液晶の転移時間を表す図面である。
【図８】図８は液晶セルの電圧差による転移時間を表す図面である。
【図９】図９は本発明の第１実施例によるリセット回路を表す図面である。
【図１０】図１０は図９に図示されたリセット回路による駆動電圧と液晶の転移時間を表す図面である。
【図１１】図１１は本発明の第１実施例による又異なるリセット回路を表す図面である。
【図１２】図１２は図１１に図示されたリセット回路による駆動電圧と液晶の転移時間を表す図面である。
【図１３】図１３は本発明の第２実施例によるリセット回路を表す図面である。
【図１４】図１４は図１３に図示されたリセット回路による駆動電圧と液晶の転移時間を表す図面である。
【符号の説明】
【００６５】
１０： 上部基板
１２： 下部基板
１８： 液晶
１４： 上部偏光板
１６： 上部補償フィルム
２０： 補償フィルム
２２： 下部偏光板
３０、６０：デジタル・ビデオ・カード
３２、６２：コントローラ
３４、６８：ゲート・ドライバ
３６、６６：データ・ドライバ
３８、７０：ガンマ電圧発生部
４０：液晶パネル
４２、６４：電源供給部
【図１】
2007226271.tif 000004
【図２】
2007226271.tif 000005
【図３】
2007226271.tif 000006
【図４】
2007226271.tif 000007
【図５】
2007226271.tif 000008
【図６】
2007226271.tif 000009
【図７】
2007226271.tif 000010
【図８】
2007226271.tif 000011
【図９】
2007226271.tif 000012
【図１０】
2007226271.tif 000013
【図１１】
2007226271.tif 000014
【図１２】
2007226271.tif 000015
【図１３】
2007226271.tif 000016
【図１４】
2007226271.tif 000017